(57)【要約】      （修正有）【課題】使用寿命が長く、接続強度が高く、湾曲した状態でもスムーズに開閉を行うことができる二層務歯ファスナーのスライダーを提供する。【解決手段】ファスナーのスライダーは、案内柱５に近い下翼部２の後端が上翼部１より単層の務歯の厚さの長さ内側に縮小され、下翼部２の内側に縮小された部分の両側に接続部位８が残される。これにより、上翼部１と下翼部２との間の強度を強化し、上翼部１と下翼部２との間が開くのを防止することができる。また、案内柱５の端部の上サイドフランジ３が下サイドフランジ４より長く、下サイドフランジ４に相対して案内柱５の方向に延長することにより、曲げ応力を受ける支点が前方に移動し、務歯の噛合点位置における通常状態の歯間距離に迅速に回復するため、務歯の噛合を安定させることができる。【選択図】図８
0003190363.tif 000002
【実用新案登録請求の範囲】
【請求項１】
上翼部及び下翼部を備える二層務歯ファスナーのスライダーであって、前記上翼部及び前記下翼部の両側には、上サイドフランジ及び下サイドフランジがそれぞれ設けられ、前記上翼部と前記下翼部との間には、案内柱が接続され、前記案内柱には、ファスナーのスライド方向に沿って上下二層の務歯列を分離する舌型ガイドプレートが設けられ、前記案内柱が接続される前記下翼部の後端は、前記上翼部より単層の務歯の厚さの長さ内側に縮小されると共に、前記案内柱が接続される前記下翼部の後端の内側に縮小される位置の両側には、接続部位が残され、これにより、前記上翼部と前記下翼部との間の強度が強化され、前記上翼部と前記下翼部との間が開くのが防止されることを特徴とする二層務歯ファスナーのスライダー。
【請求項２】
前記案内柱の端部の前記上サイドフランジの長さは、前記下サイドフランジより長いことを特徴とする請求項１に記載の二層務歯ファスナーのスライダー。
【請求項３】
前記案内柱に近い前記上翼部及び前記下翼部の後端の内表面には、前記務歯列を前記スライダーにガイドして進入させたり、前記務歯列をガイドして前記スライダーから離脱させたりするための上凹溝及び下凹溝が設けられることを特徴とする請求項１に記載の二層務歯ファスナーのスライダー。
【請求項４】
前記上凹溝及び前記下凹溝の入口部分の幅は、前記務歯の幅であり、前記上凹溝及び前記下凹溝の深さは、前記単層の務歯の厚さの１／８〜１／４であることを特徴とする請求項３に記載の二層務歯ファスナーのスライダー。
【考案の詳細な説明】
【技術分野】
【０００１】
本考案は、ファスナーに関し、特に、二層務歯ファスナーのスライダーに関する。
【背景技術】
【０００２】
ファスナーの強度を高め、噛合された務歯が外れるのを防止するために、単層務歯のファスナーが改良され、上下二層の務歯列が噛合される二層務歯ファスナーと、二層務歯ファスナーの開閉を行うのに使用されるスライダーと、が開発された。二層務歯ファスナーのスライダーが単層務歯ファスナーのスライダーと異なる点は、上翼部と下翼部との間の距離が増大される点と、上翼部と下翼部とを接続する案内柱に上下層の務歯列を分離させるガイドプレートが設けられる点のみである。
一般に、上翼部の形状と下翼部の形状とは異なり、上翼部上には、引手保持体が接続され、引手保持体には、引手が装着される。従来の二層務歯ファスナーにおいては、上下二層の務歯列が一体に縫合されて、縫合部分がファスナーテープ上に縫製されるため、ファスナーが湾曲した状態の場合、外層の務歯列の湾曲率が内層の務歯列の湾曲率より大きく、特に、務歯列が９０度に湾曲した場合、外層と内層との湾曲率の差が大きくなる。このとき、湾曲部分において、外層の務歯列は、歯間が開き、内層の務歯列は、歯間が縮小する状態となり、上下二層の務歯列を１つのスライダーで噛合させる場合、上層の務歯列と下層の務歯列との間で、噛合されるタイミング及び形態が調和しなくなり、スライダーの抵抗が大きくなって、スムーズにスライドできなくなる。また、上翼部及び下翼部と縫合部分との間の摩擦により、縫合部分が摩損したり、上翼部及び下翼部が開いたり、案内柱が湾曲したり、引手が断裂したりし、スライダー及びファスナーテープが早期に損壊してしまう。
【０００３】
本考案の考案者は、上述の欠点に鑑み、研究及び改良を続け、本考案の二層務歯ファスナーのスライダーを案出した。
【先行技術文献】
【特許文献】
【０００４】
【特許文献１】特許第４５０８９０９号公報
【考案の概要】
【考案が解決しようとする課題】
【０００５】
本考案の目的は、セキュリティ性が高く、使用寿命が長く、接続強度が高く、務歯列が湾曲した状態でもスムーズに開閉を行うことができる二層務歯ファスナーのスライダーを提供することにある。
【課題を解決するための手段】
【０００６】
請求項１の考案は、上翼部及び下翼部を備える二層務歯ファスナーのスライダーであって、上翼部及び下翼部の両側には、上サイドフランジ及び下サイドフランジがそれぞれ設けられ、上翼部と下翼部との間には、案内柱が接続され、案内柱には、ファスナーのスライド方向に沿って上下二層の務歯列を分離する舌型ガイドプレートが設けられ、案内柱が接続される下翼部の後端は、上翼部より単層の務歯の厚さの長さ内側に縮小され、案内柱が接続される下翼部の後端の内側に縮小される位置の両側には、接続部位が残され、これにより、上翼部と下翼部との間の強度が強化され、上翼部と下翼部との間が開くのが防止されることを特徴とする二層務歯ファスナーのスライダーである。
【０００７】
請求項２の考案は、案内柱の端部の上サイドフランジの長さは、下サイドフランジより長いことを特徴とする請求項１に記載の二層務歯ファスナーのスライダーである。
【０００８】
請求項３の考案は、案内柱に近い上翼部及び下翼部の後端の内表面には、務歯列をスライダーにガイドして進入させたり、務歯列をガイドしてスライダーから離脱させたりするための上凹溝及び下凹溝が設けられることを特徴とする請求項１に記載の二層務歯ファスナーのスライダーである。
【０００９】
請求項４の考案は、上凹溝及び下凹溝の入口部分の幅は、務歯の幅であり、上凹溝及び下凹溝の深さは、単層の務歯の厚さの１／８〜１／４であることを特徴とする請求項３に記載の二層務歯ファスナーのスライダーである。
【考案の効果】
【００１０】
本考案の二層務歯ファスナーのスライダーは、下サイドフランジが内側に縮小した構造により、務歯列が湾曲した状態でも内層の務歯列を十分に湾曲させることができるため、スライダーで務歯列を開閉させる際、スライダーをスムーズにスライドさせることができ、従来の二層務歯ファスナーのスライダーより摩擦抵抗力が小さい。また、正確に務歯列を噛合させることができ、務歯列とスライダーとの間の摩損が小さく、使用寿命を長くすることができる。また、案内柱が接続される下翼部の後端の両側に接続部位が残されることにより、下翼部と案内柱との接続強度を高め、上翼部と下翼部との間の強度を強化し、上翼部と下翼部との間が開くのを防止することができる。また、スライダーが湾曲した務歯列の開閉を行う際、両辺のファスナーテープを２つの接続部位の側面に当接させて位置規制を行うため、務歯列をスライダーに進入させて噛合させやすい角度に保持することができる。
【図面の簡単な説明】
【００１１】
【図１】本考案の二層務歯ファスナーのスライダーを示す正面図である。
【図２】図１の平面図である。
【図３】図１の底面図である。
【図４】図１の左側面図である。
【図５】図１の右側面図である。
【図６】図１のＡ−Ａに沿った断面図である。
【図７】図１のＢ−Ｂに沿った断面図である。
【図８】図１の斜視図である。
【図９】図７の斜視図である。
【図１０】本考案のスライダーが湾曲した状態の務歯列を噛合する状態を示す断面図である。
【図１１】図１０の右側面図である。
【図１２】本考案の二層務歯ファスナーのスライダーの使用状態を示す断面図である。
【図１３】従来の二層務歯ファスナーのスライダーの使用状態を示す断面図である。
【考案を実施するための形態】
【００１２】
本考案の目的、特徴及び効果を示す実施形態を図面に沿って詳細に説明する。
【００１３】
図１〜図９を参照する。図１〜図９から分かるように、本考案の二層務歯ファスナーのスライダーは、上翼部１及び下翼部２を具える。上翼部１及び下翼部２の両側には、上サイドフランジ３及び下サイドフランジ４がそれぞれ設けられる。上翼部１と下翼部２との間には、案内柱５が接続される。案内柱５には、上下二層の務歯列６を分離する舌型ガイドプレート７が設けられる。案内柱５が接続される下翼部２の後端は、上翼部１より単層の務歯の厚さＳの長さ分内側に縮小される（図３、図７及び図１０参照）。また、案内柱５が接続される下翼部２の後端の内側に縮小される位置の両側には、接続部位８が残される。これにより、上翼部１と下翼部２との間の強度が強化され、上翼部１と下翼部２との間が開くのが防止される。案内柱５の端部の上サイドフランジ３は、下サイドフランジ４より長く、下サイドフランジ４に対向する（図６，７参照）。上サイドフランジ３が案内柱５の方向に延長されることにより、応力を受ける支点Ｇ（図１２参照）が前方に移動し、務歯６１が開く最大部分が支点Ｇ及び案内柱５の位置に対向する（噛合点位置Ｈ）。また、支点Ｇが前方に移動することにより、務歯６１の噛合点位置Ｈにおいて通常状態の歯間距離ｂに迅速に回復する。
ここで、図１３に示す従来の二層務歯ファスナーのスライダーの使用状態を示す断面図を参照する。図１３に示す従来の二層務歯ファスナーのスライダーにおいては、スライダー６１’の上サイドフランジ３’が延長されていないため、応力を受ける支点Ｇ’を変更できない。このため、務歯６１’が噛合される位置が正常な歯間距離に回復しにくく、務歯が噛合しなかったり、ずれたりし易い。しかし、本考案の場合、噛合点位置Ｈにおいて歯間距離ｂ（図１２参照）が従来の歯間距離ａ（図１３参照）より小さいため、務歯の噛合を安定させることができる。また、務歯列６がスライダー６０の側部に滑り出たり、スライダー６０が務歯列６に対して捩れたりするのを防止することができる。
また、務歯列６をスライダー６０にスムーズに進入させ、抵抗を減少させるために、案内柱５に近い上翼部１及び下翼部２の後端の内表面には、務歯列６をスライダー６０にガイドして進入させたり、務歯列６をガイドしてスライダー６０から離脱させたりするための上凹溝９及び下凹溝１０が設けられる。上凹溝９及び下凹溝１０の入口部分の幅Ｅは、務歯の幅である（図６，７参照）。上凹溝９及び下凹溝１０の深さは、単層の務歯の厚さＳの１／８〜１／４である（即ち、深さは、１／８Ｓ〜１／４Ｓである）。図５に示すように、上凹溝９及び下凹溝１０の厚さは、１／４Ｓである（即ち、単層の務歯の厚さＳの１／４である）。
【００１４】
図１０に示すように、下翼部２が内側に縮小した構造であるため、スライダー６０が湾曲した状態の務歯列６を噛合する場合、務歯列６の内層が十分に湾曲するため、スライダー６０をスムーズにスライドさせることができ、従来の二層務歯ファスナーより摩擦抵抗が小さく、使用寿命が長い。また、案内柱５が接続される下翼部２の後端の両側に接続部位８が残されるため、下翼部２と案内柱５との接続強度が強化され、上翼部１と下翼部２との間の強度が強化され、上翼部１と下翼部２との間が開くのが防止される。
また、スライダー６０が湾曲した務歯列６の開閉を行う際、両辺のファスナーテープが２つの接続部位８の側面に当接されるため、務歯列６をスライダー６０に進入させて噛合させやすい規制角度Ｆに保持することができる（図１１参照）。これにより、スライダー６０は、両辺の務歯６１を確実にスムーズに噛合させることができる。
【００１５】
上述したことから分かるように、本考案の二層務歯ファスナーのスライダー６０は、下サイドフランジ４が内側に縮小した構造により、務歯列６が湾曲した状態でも内層の務歯列６を十分に湾曲させることができるため、スライダー６０で務歯列６を開閉させる際、スライダー６０をスムーズにスライドさせることができ、従来の二層務歯ファスナーのスライダーより摩擦抵抗力が小さい。また、正確に務歯列６を噛合させることができ、務歯列６とスライダー６０との間の摩損が小さく、使用寿命を長くすることができる。また、案内柱５が接続される下翼部２の後端の両側に接続部位８が残されることにより、下翼部２と案内柱５との接続強度を高め、上翼部１と下翼部２との間の強度を強化し、上翼部１と下翼部２との間が開くのを防止することができる。また、スライダー６０が湾曲した務歯列６の開閉を行う際、両辺のファスナーテープを２つの接続部位８の側面に当接させて位置規制を行うため、ファスナー６をスライダー６０に進入させて噛合させやすい角度に保持することができる。
【符号の説明】
【００１６】
１  上翼部
２  下翼部
３  上サイドフランジ
３’上サイドフランジ
４  下サイドフランジ
５  案内柱
６  務歯列
６０  スライダー
６０’スライダー
６１  務歯
６１’務歯
７  舌型ガイドプレート
８  接続部位
９  上凹溝
１０下凹溝
Ｅ  幅
Ｆ  規制角度
Ｇ  支点
Ｇ’支点
Ｈ  噛合点位置
Ｓ  単層の務歯の厚さ
ａ  歯間距離
ｂ  歯間距離
【図１】
0003190363.tif 000003
【図２】
0003190363.tif 000004
【図３】
0003190363.tif 000005
【図４】
0003190363.tif 000006
【図５】
0003190363.tif 000007
【図６】
0003190363.tif 000008
【図７】
0003190363.tif 000009
【図８】
0003190363.tif 000010
【図９】
0003190363.tif 000011
【図１０】
0003190363.tif 000012
【図１１】
0003190363.tif 000013
【図１２】
0003190363.tif 000014
【図１３】
0003190363.tif 000015